(57)【要約】【課題】  従来問題を一掃して、コアコイルが座屈変形せず、操作性も良い構造簡単で廉価な排水栓装置用レリースを提供する。【解決手段】  コアコイル１をアウターチューブ２内に摺動可能に挿通し、前記アウターチューブ２の端部に排水栓の支持部４への接続部５を設けた排水栓装置用レリースＡにおいて、コアコイル１端部内に補強ピン６にコアコイル１の内径よりも僅か幅広な圧入係止部１６を形成し、その圧入係止部１６をコアコイル１内に圧入係止して、その補強ピン６で排水栓開閉操作時のコアコイル１の座屈変形を防止する。その補強ピン６を、超弾性合金製にして、補強ピン６が屈曲変形しても、その補強ピン６の超弾性機能で、コアコイル６を元の直線状に再現性をもって使用状態に復帰させる。【選択図】  図３
2006125177.tif 000002
【特許請求の範囲】
【請求項１】
コアコイルをアウターチューブ内に摺動可能に挿通し、前記アウターチューブの端部に排水栓の支持部への接続部を設けた排水栓装置用レリースにおいて、前記コアコイル端部内に補強ピンを挿入係止していることを特徴とする排水栓装置用レリース。
【請求項２】
前記補強ピンは、コアコイルの内径よりも僅か幅広な圧入係止部を形成し、その圧入係止部がコアコイル内に圧入係止されることを特徴とする請求項１の排水栓装置用レリース。
【請求項３】
前記補強ピンが、超弾性合金製であることを特徴とする請求項１または２記載の排水栓装置用レリース。
【発明の詳細な説明】
【技術分野】
【０００１】
本発明は浴槽、洗面器、流し等の上縁面に配設する操作部の遠隔操作で排水栓を上下動させて、排水口を開閉する排水栓装置用レリースに関するものである。
【背景技術】
【０００２】
従来、この種の排水栓装置用のレリースには、図４に示すようにアウターチューブ２内にコアコイル１を摺動可能に挿通し、そのアウターチューブ２の端部に排水栓３の支持部４に接続する接続部５を設け、操作部の遠隔操作でコアコイル１がその支持部４内に接続部５から進入して、排水栓３の支軸１３を押上げ、排水孔７を開閉する構成のものが知られている（後述ではＡ号と称する）（例えば、特許文献１参照）。
また、図５に示すように、前記接続部５に排水栓３の支持部４内に進入するガイド筒３５を一体または一体的に立設し、遠隔操作によってコアコイル１がそのガイド筒３５でガイドされながらそのガイド筒３５から支持部４に進入して排水栓３の支軸１３を押上げる構成のものも知られている（後述ではＢ号、Ｃ号と称する）（例えば、特許文献２、３参照）。
更に、図６に示すように、コアコイル１先端に有底筒状のプランジャー９を被嵌し、そのプランジャー９で排水栓３の支軸１３を押上げる構成のものも知られている（後述ではＤ号と称する）。
【０００３】
しかしながら、前記Ａ号では、コアコイル１自体がプランジャーになるため、排水栓３に作用する負荷を受けて排水栓開閉操作時にコアコイル１が支持部３内の空間で座屈する虞れがあった。
また、前記Ｂ号、Ｃ号においては、支持部４にレリースを接続する際に、操作部を誤って遠隔操作してコアコイル１をガイド筒３５から突出させた状態で行う場合があり、その時に支持部４の底に開孔されている連結孔に挿入されずに支持部４の底にコアコイル１を突き当て、誤って座屈変形させてしまう虞れがある。
そして、前記Ｄ号は、コアコイル１と共にそのプランジャー９が接続部５内を進退する構成である。そのため、接続部５に接続されるアウターチューブ２に後退時のプランジャー９の下端が干渉するのを防ぐためにアウターチューブ２の接続部５に対する接続箇所を下方に後退させなければならず、その結果、接続部５がその分長尺化して、排水口金具１００に袋ナット１０１等を介して接続される排水管Ｐに開孔されているレリース通孔８と、接続部５へのアウターチューブ２の接続箇所が接近して、排水管Ｐ内でのレリースの曲率半径（Ｒ１）が小さなものになり、コアコイル１の摺動抵抗が大きくなって、操作性を悪くする問題もあった。
尚、本願出願人が知っている前記の先行技術Ｄ号は、文献公知発明に係るものではないため、本願明細書には先行技術文献情報を開示しない。
【特許文献１】特許第３１４０３１２号
【特許文献２】特許第２５４８５０１号
【特許文献３】特開２００３−１９３５２９号
【発明の開示】
【発明が解決しようとする課題】
【０００４】
本発明は上記従来事情に鑑みてなされたもので、その目的とする処は、従来問題を一掃して、コアコイルが座屈変形せず、操作性も良い構造簡単で廉価な排水栓装置用レリースを提供することにある。
【課題を解決するための手段】
【０００５】
前記課題を解決するために講じた技術的手段は、コアコイルをアウターチューブ内に摺動可能に挿通し、前記アウターチューブの端部に排水栓の支持部への接続部を設けた排水栓装置用レリースにおいて、前記コアコイル端部内に補強ピンを挿入係止していることを特徴とする排水栓装置用レリースである（請求項１）。
補強ピンは、コアコイルの内径よりも僅かに小径なピンであり、コアコイル先端に挿入した後、コアコイルを加締て、補強ピンがコアコイルに係止されるように構成したり（前者）、請求項２記載のようにその補強ピンにコアコイルの内径よりも僅か幅広な圧入係止部を形成し、その圧入係止部がコアコイル内に圧入係止されるようにすると（後者）、好適なものである（請求項２）。
圧入係止部は、一端や一端側近傍に設けるのが好ましい。
前者のコアコイルの加締変形量は、アウターチューブに対するコアコイルの摺動性が阻害されない程度にすること言うまでもないものである。
【０００６】
以上の手段によれば、コアコイルに挿入係止される補強ピンが、排水栓開閉操作時のコアコイルの座屈変形を防止する（請求項１）。
そして、その補強ピンは、コアコイルの内径よりも僅か幅広な圧入係止部をコアコイルに圧入係止することによって自ずと係止される（請求項２）。
【０００７】
そして、前記補強ピンが、超弾性合金製であると最適なものになる（請求項３）。
超弾性合金の一例としては、耐蝕性に優れたニッケルチタン合金を挙げることができる。
この超弾性合金は、負荷荷重で大きく屈曲変形を起こしても常態時に復元する性質を有する。
それ故、補強ピンを直線棒状に形状記憶させておくことによって、アクシデント等によって補強ピンに負荷荷重が作用し曲がり変形を起こしてもコアコイルを元の直線形態に復元することができる。
【発明の効果】
【０００８】
本発明は以上のようにコアコイル端部内に補強ピンを挿入係止した簡単構造で排水栓開閉操作時のコアコイルの座屈を防止する排水栓装置用レリースを提供することができる。
しかも、請求項２にあっては、僅かに幅広な圧入係止部をコアコイルに係止して補強ピンがコアコイルに保持されるようになるので、補強ピンの組付けが専用の大型設備を使用することなく簡単に行なえ、溶接や加締に比して組付コストが低減でき、補強ピンの部品単価が廉価であることが相乗して、非常に安価に提供することができる。
その上、コアコイルは圧入係止部で僅かながら拡径するものの、アウターチューブや接続部に開孔されているレリース挿通孔内の摺動性を阻害する程拡径するものではないので、接続部に対するアウターチューブとの接続箇所を遠ざけて、その拡径するコアコイルとアウターチューブとが干渉しないようにする必要はなく、接続部が無用に長尺化して、排水管に開孔されているレリース通孔と接続部へのアウターチューブの接続箇所とが接近して排水管内でのレリースの曲げが窮屈なものになってしまうようなことがなくなり、コアコイルの摺動抵抗を所定に保持し、操作性を向上できる。
その上、その補強ピンを超弾性合金製にしているから、踏みつける等して排水栓に押圧力が掛かっている状態で排水栓の開閉操作をしてしまったり、操作部を押動操作している最中に排水栓に落下物の荷重が掛かったりして、コアコイルが補強ピンと屈曲変形するようなことがあっても、コアコイルを常態（直線状）に復元させることができる。
【発明を実施するための最良の形態】
【０００９】
次に本発明排水栓装置用レリースの第１の実施の形態を図１〜図３に基づいて説明すると、符号Ａがその排水栓装置用レリースである。
【実施例１】
【００１０】
排水栓装置用レリースＡは、平鋼線を線間隙がないようにコイル状としたコアコイル１をアウターチューブ２内を挿通させ、そのアウターチューブ２の両端部に操作部（図示せず）、排水栓３の支持部４との接続部５を設けて構成されている。
この実施の形態のコアコイル１は、直径を０．３５ｍｍ程度とする平鋼線を用いて直径を１．４ｍｍ程度とするコイル状に連続形成されている。
【００１１】
接続部５は、特許第３１４０３１２号公報等でも公知であり、アウターチューブ２の端部に回転案内用リング材１５を介して接続金具２５を接続して構成されている。
【００１２】
接続金具２５は、図３に示すように全長に亘ってレリース挿通孔２５ａを開孔し、そのレリース挿通孔２５ａの一端に前記アウターチューブ２の端部に周設した鍔部１２及び回転案内用リング材１５の一半部を収容する収容凹部２５ｃを確保する筒部２５ｂを突設し、他端に排水栓３の支持部４や操作部に螺合する螺子軸部２５ｄを突設した構成になっている。
【００１３】
回転案内用リング材１５は、前記アウターチューブ２の鍔部１２との対応面を同鍔部１２に接近もしくは当接するように上記鍔部１２近傍のアウターチューブ２に遊外嵌してあり、且つ鍔部１２との対応面を図示するように鋭利形状にしている。
この鋭利部１５ａは回転案内用リング材１５の前記鍔部１２との対応先端面を尖頭状にすることで形成されている。
また、回転案内用リング材１５は、前記鋭利部１５ａを始端とする環状段部１５ｂを段設形成している。
【００１４】
そして、接続金具２５には、図３に示すように前記環状段部１５ｂよりも小径とする係止段部２５ｅを環状段部１５ｂ下端に当接するように前記収容凹部２５ｃの開放縁から周設することによって、回転案内用リング材１５と共に、アウターチューブ２に対して回転可能に接続され、誤ってアウターチューブ２に引っ張り力が生じても鍔部１２が回転案内用リング材１５の鋭利部１５ａに喰込むことから抜けず、接続状態が維持するようになっている。
【００１５】
コアコイル１は、その端部に補強ピン６が挿入係止されている。
【００１６】
この補強ピン６は、直径を０．６ｍｍ程度とする所要長さ（２１ｍｍ程度）の金属製細線（例えばバネ鋼）の一端若しくは一端近傍をコアコイル１の内径よりも僅か幅広にプレス加工や切削加工で０．７５ｍｍ〜０．８ｍｍ程度幅の圧入係止部１６を形成し、図２に示すようにコアコイル１内に圧入係止させることによってコアコイル１端部内に保持されて、コアコイル１の端部に剛性を付与するようになっている。
補強ピン６をコアコイル１に圧入係止するその手段の一例としては、図示しないがコアコイル１の端部を適宜なチャック手段で掴持しておき、一端に幅広な圧入係止部１６を形成している補強ピン６をその他端側から圧入係止部１６近傍まで挿入した後、圧入係止部１６を例えばエアーシリンダ等の圧入手段でコアコイル１先端内に圧入係止するようにすることを挙げることができる。
【００１７】
前記支持部４は、図１に示すように内部中空な容体１４内にスラストロック機構２４を内蔵し、操作部の遠隔操作の度に容体１４内に進入する排水栓装置用レリースＡのコアコイル１がそのスラストロック機構２４で排水栓３の支軸１３を上下動可能に支持し、下端から挿入されるコアコイル１でその支軸１３を押上げることによって上昇端でロックとロック解除を交互に繰り返して、排水孔７を開閉するようになっている。
尚、スラストロック機構２４を操作部側に設けて、前記支持部４内でコアコイル１と排水栓３の支軸１３とが連絡されるように構成してあっても良いものである。
【００１８】
前記コアコイル１に圧入係止された補強ピン６は、排水栓開閉操作時に前記支持部４内に進入して排水栓３の支軸１３を押上げた時に下端域が接続金具２５のレリース挿通孔２５ａの上端域に残留して全長が支持部４内に入り込まない程度の長さに設定されている。
【００１９】
以上のように構成されている排水栓装置用レリースＡは、補強ピン６を圧入係止したコアコイル１部分が、閉栓時に接続金具２５のレリース挿通孔２５ａ及びアウターチューブ２内に跨って収められている（図２（ロ）参照）。
操作部を遠隔操作することによってコアコイル１が排水栓３の支軸１３を押上げながら支持部４内に進入する時に、補強ピン６が筋となって剛性を付与し、支持部４内でのコアコイル１の座屈変形を防止する。
また、コアコイル１に補強ピン６が圧入係止されるため、コアコイル１において圧入係止部１６が係止する部分が僅かながら部分的に拡径するが、ほんの僅かなものであるため、接続金具２５のレリース挿通孔２５ａを拡径したり、アウターチューブ２の接続金具２５との接続箇所を遠ざけずともに補強ピン６を圧入係止するコアコイル１部分をレリース挿通孔２５ａ、アウターチューブ２内に摺動可能に案内することができる。そのため、図１に示すように排水管Ｐに開孔されているレリース通孔８と接続金具２５へのアウターチューブ２の接続箇所とが離間して排水管Ｐ内でのレリースの方向変換が大きな曲率半径（Ｒ）をもって行え、コアコイル１の摺動抵抗を抑制し、操作性を向上できる。
【実施例２】
【００２０】
次に排水栓装置用レリースＡの第２の実施の形態を説明すると、この実施の形態は、前記補強ピン６を、ニッケルチタン合金からなる超弾性合金製にしたものである。
この超弾性合金製の補強ピン６は、図示しないが前記する金属製細線（例えばバネ鋼）と同等寸法のものを使用し、一端若しくは一端近傍をコアコイル１の内径よりも僅か幅広にプレス加工や切削加工で圧入係止部を形成して、コアコイル１に圧入係止されている。
【００２１】
このように、超弾性合金製の補強ピン６をコアコイル１に圧入係止すると、排水栓の開閉操作中に補強ピン６に予想以上に大きな負荷荷重が集中して屈曲変形するようなことがあっても、その補強ピン６の超弾性機能によって、コアコイル６を元の直線状の使用状態に復帰させることができる。
【図面の簡単な説明】
【００２２】
【図１】本実施の形態排水栓装置用レリースの使用状態を示す正面断面図で、一部切欠して示す。
【図２】排水栓装置用レリースにおけるコアコイルの端部部分の拡大斜視図で補強ピンを圧入係止する状態を示す。
【図３】排水栓装置用レリース端部の接続部の正面断面図で、（イ）は操作部を遠隔操作した状態を示す。（ロ）は操作部を遠隔操作していない時の状態を示す。
【図４】従来の排水栓装置用レリースの使用状態を示す正面断面図。
【図５】更に他の従来の排水栓装置用レリースを排水栓の支持部に接続する状態を示す正面断面図。
【図６】更に別の排水栓装置用レリースの使用状態を示す正面断面図。
【符号の説明】
【００２３】
Ａ：排水栓装置用レリース  １：コアコイル
２：アウターチューブ      ３：排水栓
４：支持部              １６：圧入係止部
５：接続部
【図１】
2006125177.tif 000003
【図２】
2006125177.tif 000004
【図３】
2006125177.tif 000005
【図４】
2006125177.tif 000006
【図５】
2006125177.tif 000007
【図６】
2006125177.tif 000008